(57)【特許請求の範囲】
【請求項１】
建造物の屋上及び地上に粒状軽石を用いた培地を保持し、前記培地へ培養液を供給する点滴かけ流し式点滴装置と、前記培地の体積含水率を測定する測定装置と、前記測定装置の出力に基づいて粒状軽石のｐＦ値を算出する演算装置と、前記演算装置からの粒状軽石のｐＦ値に基づいて前記点滴装置への送出液量制御手段とを備え、前記培地に植物を植える緑化システムにおいて、前記演算装置に取り込まれている栽培培地についてのｐＦ値と体積含水率との相関関係が、
（イ）測定対象の粗土壌試料を粉砕して微粒子試料を調製し；
（ロ）粗土壌試料に微粒子試料を予め定めた重量比で混合して、混合土壌試料を調製し；
（ハ）混合土壌試料及び微粒子試料について、体積含水率とｐＦ値との相関関係を求め；
（ニ）混合土壌試料及び微粒子試料について得られた体積含水率とｐＦ値との相関値に基づいて、粗土壌試料についての体積含水率とｐＦ値との相関を求める；
ことによって予め求められたものであることを特徴とする緑化システム用自動灌水制御装置。
【請求項２】
前記の粒状軽石培地の体積含水率を測定する測定装置が、粒状軽石培地の含水率を電気的に連続検知するセンサとして、ＡＤＲ法、ＴＤＲ法又はＦＤＲ法のセンサを有することを特徴とする請求項１記載の緑化システム用自動灌水制御装置。
【発明の詳細な説明】
【０００１】
【発明の属する技術分野】
本発明は、建造物の屋上及び地上緑化システム用のｐＦ値による灌水制御装置に関し、特に土壌の管理を容易にし、節水、省資源及び省労力を可能とするために、土壌の水分量を測定し、これをｐＦ値に換算して土壌のｐＦ値を決定する方法、並びに測定されたｐＦ値に基づいて土壌への水又は培養液の供給を制御する灌水制御方法及びその装置に関する。なお、ここでいう土壌とは、植物体の根、地下茎等の地中部位を支持するものであり、粗い粒子からなる土壌、例えば溶液栽培等において使用されている多孔質表面を有する粗大な粒子の固形培地、すなわち、軽石粒子のような固形培地などを意味する。
【０００２】
【従来の技術】
この百年間で、東京の平均気温は２．９℃も上昇した。こんな都心の「ヒートアイランド現象」に歯止めをかけようと、東京都は自然保護条令を改正し、国内で始めて、新改築ビルに「屋上緑化」を義務づけることを決定した。これは、利用可能な屋上スペースの２０％に、樹木や芝、草花などを植えることを義務づけるものである。
従来、建築物であるビルの屋上に土を乗せ、樹木を植えたり、また大きなビルでは屋上などに庭園を作る例があるが、土を乗せて樹木を植えことは大きな重量が掛かることになり、屋根からの水漏れの原因となることから、建造物を傷めることになるので、個人所有の小さいビルに限られ、庭園を作る場合には営業関係のものに限られていた。そのため、「屋上緑化」のための特別な技術というものがそれほどあるわけではなかった。
また、最近は建築物に限らず、人工地盤など大がかりな建造物が作られ、その上に建築物を建てることが行われており、この場合屋上緑化だけではなく、建造物の地上部分の土壌がないコンクリート製部分に緑化域を形成する必要が出てきているが、その部分に単に土を入れることが行われているレベルである。
【０００３】
土壌における農作物の栽培では、土壌の含水量が農作物の成長に大きく影響しているので、含水量の高い土地では排水を良くし、また含水量の低い土地では灌水をしており、天候が雨の少ない時期には灌水をするなどの工夫をしている。
このため、農作物の成長を良好に行わせるようにするには、土壌中の含水量を正確に知る必要がある。
【０００４】
養液栽培は、大きく分類すると、水耕、噴霧耕及び固形培地耕の３種に分けられ、その中、固形培地耕の栽培方式では、点滴掛流しが多く用いられている。この点滴掛流しの方式では、一般にタイマー等による自動灌水が主流であるが、必ずしも最適な灌水がなされているわけではない。これは、栽培作物による培養液の吸収量は、日射量や温室の温度及び湿度等に左右されるからである。例えば、日射量が多くて、温室の温度が高く、湿度が低ければ、栽培作物からの蒸散量が極めて多くなる。また、逆に雨の日などは、栽培作物からの蒸散量は減少する。また、栽培作物の成長過程により培養液の吸収量が大きく左右され、栽培作物が成長すると培養液の吸収量が非常に大きくなる。また、果実類などは、ある程度まで成長したら水の供給量を抑えて栽培すると、糖度の高い高品質のものが得られることが知られている。しかしながら、タイマー等による自動灌水では、このような栽培作物の環境条件及び成長過程に追従することはできず、忠実に追従できるようにするためには、灌水回数、灌水開始時刻や、灌水時間を、日々設定し直さなければならない。
【０００５】
これでは、タイマー等による自動灌水とは言っても用をなさないし、最適灌水がなされているかどうか疑わしい。このような理由から、タイマー等による自動灌水においては、作物のしおれなどが起こらないように過剰気味に灌水されていることが多く、過剰灌水による根腐れや、排水量の増大（即ち廃棄される養液及び水の量の増大）などの問題を避けることができなかった。
【０００６】
ところで、土壌中の含水量と農作物の栽培との関係をみると、土壌中にある水がすべて農作物に利用できるものではなく、例えば土の中の結合水は農作物の生育には利用できない。また天候変化による土壌の含水量の変化を考えると、大雨が降ったときには土壌に水が一杯になるが、その後、水が徐々に下に吸い込まれていって、土壌の含水量が低下する。土壌に水が一杯になった状態は水耕栽培と同様の状態で、通気性が悪く、必ずしも露地栽培には適しない。次に土壌の含水量が低下する段階では、かなり下がってある限界以下まで低下したときには、根が水を吸い上げることができなくなり、根の毛管連絡が切断されるようになって、根枯れの状態に入ることになる。この状態となると、その後に水を供給しても根枯れは回復しないので、この状態を下限としてこれより上に土壌の含水量が保たれるようにすることが必要である。
このような土壌の含水状態は、土壌に含まれる水のポテンシャルによって決まるので、農作物の栽培と関係する土壌の含水状態は、単純に土壌の含水量で表わすことは適当でないと考えられている。そこで、土壌の水ポテンシャルに基づいた含水状態を表わす方法が好ましい。
【０００７】
ところで、土壌の含水状態を表す因子の一つに「ｐＦ値」がある。ｐＦ値とは、Ｒ．Ｋ．Ｓｃｈｏｆｉｅｌｄによって１９３５年に提案されたもので、土壌の水ポテンシャルの内のマトリックスポテンシャルに関する指標値である。マトリックスポテンシャルとは、毛管力、分子間力、クーロン力など水の土壌粒子との相互作用に基づく化学ポテンシャルの低下量である。要するにマトリックスポテンシャルとは、土壌粒子が水分子を引きつける力の強弱を示す。水柱単位（ｃｍ）で示されたマトリックスポテンシャルの絶対値の常用対数を「ｐＦ値」と呼んでいる。水柱（ｃｍ）の単位で表された土壌水のポテンシャルφとｐＦ値とは、ｐＦ＝ｌｏｇ（−１０．２φ）の関係にある。
【０００８】
ｐＦ値は、土壌中に含まれる水（養液栽培では培養液である）の質を表わす量である。ｐＦ値が０近傍の場合は、土壌が水で満たされている状態を表す。降雨や灌漑の２４時間後に土壌中に残った水分（圃場容水量）はｐＦ１．７程度であり、ここから作物がしおれ始める初期しおれ点（ｐＦ３．８）までが有効水と呼ばれている。しかしながら、作物の生育は初期しおれ点よりも水分が多い時点で支障が出始める。それは、作物の根の毛管連絡が切れて作物の根から水の移動が止まる状態の時で、これを毛管連絡切断点とよび、ｐＦ２．７程度である。したがって、一般に作物を栽培する場合、ｐＦ値はｐＦ１．７〜ｐＦ２．７の間が適しているとされている。これらのことから、ｐＨ１．７〜ｐＦ２．７の間の水分を易効水と呼び、土壌における農作物の栽培には、このｐＦ１．７〜ｐＦ２．７の易効水の状態を保つことが必要である。なお、ｐＦ値及び土壌の水ポテンシャルについては、例えば、「土壌環境分析法」、日本土壌肥料学会監修、土壌環境分析法編集委員会編、博友社刊、１９９７年第１刷発行、４８〜５１頁；「土の環境圏」、岩田進午ら監修、（株）フジテクノシステム発行、１９９７年、７２〜７６頁；「土壌診断の方法と活用」、藤原俊六郎ほか著、社団法人の農山漁村文化協会発行、１９９６年、７２〜７７頁；「最新土壌学」、久馬一剛編、朝倉書店発行、１９９７年、１０１〜１０７頁；などに説明されている。
【０００９】
土壌での農作物の栽培においては、このｐＦ値を基準にして灌水等の作業を行うことが望ましい。
ｐＦ値の測定法には、野外で土壌に対して直接行うことのできる測定法としてテンシオメータ法が知られている。
実際の栽培での灌水制御において有効に使用できる測定法としては、圃場において土壌の容水量をそのまま測れるものでなければならない。したがって、一般圃場においては、テンシオメータ法が土壌のｐＦ値を簡単に測れる方法として、最適灌水などの管理を行うのに用いられている。テンシオメータ法とは、素焼きカップ（プローブ）と硬質透明塩化ビニル管から構成されるテンシオメータを土壌に埋設し、テンシオメータを水で満たして、素焼きカップ（プローブ）壁を通して土壌水分と管内の水とを水理的に連続させ、土壌のマトリックスポテンシャルと管内の圧力とを平衡状態にして管内の圧力を土壌のマトリックスポテンシャルとして読み取るというものである。「テンシオメータ法」の詳細については、例えば、上述の「土壌環境分析法」、５９〜６２頁などに記載されている。
【００１０】
しかしながら、従来使用されているテンシオメータ法は、その場で装置内への水分の補給を必要とするため、センサー（テンシオメータ）の管理が大変で、より簡単な手段、あるいは簡単な装置で土壌のｐＦ値を測定できるようにすることが望まれている。また、土壌でもその質によってはテンシオメータ法を使用するに適しない場合がある。
すなわち、粗い粒子からなる土壌、例えば養液栽培等において使用されている軽石粒子などのような多孔質表面を有する粗大な粒子の固形培地においては、このテンシオメータ法を使用することはできない。
これは、培地が粗いため、培地粒子がテンシオメータのプローブの表面の全体に密着せず、したがって培地粒子の水がプローブの表面に密着しないので、正確な測定ができないからである。そのため、従来では粗大粒子の固形培地耕においてもｐＦ値による灌水制御が望ましいとされながらも、ｐＦ値を指標とする灌水制御は全く行えなかったのが実情であった。
【００１１】
現在、土壌中のｐＦ値を直接測定することのできる方法として、テンシオメータ法に代わる手段は見当たらない。
ところで、土壌の保水性を調べる手段として、最近注目されている方法の中に、土壌の誘電率を測定し、これから土壌の体積含水率を求める方法が注目されており、電気パルスの伝播時間から土壌の誘電率を求めるＴＤＲ（Ｔｉｍｅ  Ｄｏｍａｉｎ  Ｒｅｆｌｅｃｔｏｍｅｔｒｙ）法、電気パルスの周波数領域における特性から土壌の誘電率を求めるＦＤＲ（Ｆｒｅｑｕｅｎｃｙ  Ｄｏｍａｉｎ  Ｒｅｆｌｅｃｔｏｍｅｔｒｙ）法が実用化されている。また、より簡便且つ安価に土壌の体積含水率を測定する方法としてインピーダンス測定によるＡＤＲ（Ａｍｐｌｉｔｕｄｅ  Ｄｏｍａｉｎ  Ｒｅｆｌｅｃｔｏｍｅｔｒｙ）法が提案されている。これらの方法については、上述の「土壌環境分析法」、６２〜６４頁；Ｔｏｐｐ，  Ｇ．Ｃ．ｅｔ．ａｌ．（１９８０）：Ｅｌｅｃｔｒｏｍａｇｎｅｔｉｃ  ｄｅｔｅｒｍｉｎａｔｉｏｎ  ｏｆ  ｓｏｉｌ  ｗａｔｅｒ  ｃｏｎｔｅｎｔ：  Ｍｅａｓｕｒｅｍｅｎｔｓ  ｉｎ  ｃｏａｘｉａｌ  ｔｒａｎｓｍｉｓｓｉｏｎ  ｌｉｎｅｓ．  Ｗａｔｅｒ  Ｒｅｓｏｕｒｃｅｓ  Ｒｅｓｅａｒｃｈ，１６，  ５７４−５８２；  堀野治彦・丸山利輔（１９９３）：３線式プローブによる土壌水分のＴＤＲ計測、農業土木学会論文集、１６８，１１９〜１２０頁；  北平ほか（１９９６）：ＦＤＲ法による現地土壌水分の測定、農業土木学会論文集、１８２，３１〜３８頁；中島誠ほか（１９９７）：ＡＤＲ法を用いた土壌水分量の測定、日本地下水学会１９９７年春季講演要旨集１８〜２３頁；などに記載されている。特に、ＡＤＲ法を用いると、測定が非常に簡便であり、相関性も高く、測定装置が簡単な構造で保守が容易であり、取扱いも容易であり、連続的な測定ができ、いわゆるメンテナンスフリーである。しかしながら、これらの方法は土壌の体積含水率を求めるもので、土壌のｐＦ値を直接求めることはできない。
【００１２】
【発明が解決しようとする課題】
ところで、都市のヒートアイランド現象を防ぐために、建築するすべてのビルの屋上を緑化するために、屋上に樹木を植えるようにするとなると、従来のようにビルの屋上を防水して、そこに土を入れ、樹木を植えるというやり方では非常な問題を起こすことになる。特に高層ビルでは柱に掛かる重量を少しでも減らすために多くの軽量化材料を使用しているのに、屋上に重い土を乗せたのでは、建物の強度上の問題を起こし、耐震性にも問題を起こすことになる。
また、建造物の中の建築物に限らず、大型の建造物では周囲の土を除いてしまう関係で、周囲がコンクリート製の地上部分となることが多いが、その場合景観上などからその地上部分を緑化する必要があるが、下がコンクリート製部分である関係で、防水や重量の問題などがあり、緑化をすることが容易ではない。
【００１３】
すなわち、建造物の屋上や地上部分を緑化するために、建造物の屋上や地上部分に植物を植えるための土壌を保持するときには、その土壌の重量で建造物に負担が掛かる問題、及び保持している土壌に植えた植物を生存させるために水や培養液を供給する際に、水等の供給量が多すぎたり、あるいは大雨が降ったりすると、土壌の下の建造物の基盤に漏水の問題を起こしたり、また土壌の重量がさらに増して、前記の建造物に負担が掛かることが一層深刻になる問題があり、それを防ぐのには建造物の強度を一層増大させたり、また建造物の屋上の基盤の防水構造を一層強化する必要がある。
さらに、ビルの屋上では地上よりも日当たりが強く、ビル全体の熱容量も大きく、また風も強いために、土壌を植物の生育に適した条件になるよう、また土壌が飛ばないようにに水の供給条件などを設定したりすることは難しいことであった。
【００１４】
本発明は、建造物の屋上や地上部分を緑化するために、前記した問題点を解消して、建造物の屋上や地上部分に植物を植えるための培地を保持するときには、その培地が建造物に負担を掛かける重量が少なく、及び保持している培地に植えた植物を生存させるために水や培養液を供給する量が少なくて、培地の下の建造物の基盤に漏水の問題を起こしたり、また水等の供給により培地の重量がさらに増して、前記の建造物に負担が掛かることが一層大きくならないようにして、建造物に強度の増大をする必要がほとんどなく、また建造物の屋上の屋根部分の防水構造が複雑にならないような緑化システムの灌水制御装置を提供することを課題とするものである。
【００１５】
また、本発明は、その緑化システムの灌水制御装置を可能とする手段として、従来のテンシオメータ法によらないで、土壌の保水性を調べる方法を利用して培地のｐＦ値を測定できる手段を提供することを目的とするものである。
また、本発明は、土壌の保水性を調べる方法を利用して即時にかつ連続的に培地のｐＦ値を測定し、その測定値を用いて灌水を制御する方法及び装置を提供することを目的とするものである。
【００１６】
さらに、本発明は、テンシオメータ法等で、土壌のｐＦ値を直接測定できない場合においても、その土壌のｐＦ値を測定できる手段、特に連続的に測定できる手段を提供し、その測定値を用いて灌水を制御する方法及び装置を提供することを目的とするものである。
本発明は、更に、固形培地耕での養液栽培において、テンシオメータが使用できないような土壌、特に軽石のような多孔質の大径粒子の場合において、測定が簡単かつ容易な保水性の測定方法を利用しながら、ｐＦ値による灌水制御を可能にする土壌の水分量を測定する方法及び装置を提供することを目的とするものである。さらに、本発明は、固形培地耕での栽培においてｐＦ値による灌水制御を可能にする技術を利用して屋上等の緑化システムの灌水制御装置を提供することを目的とするものである。
【００１７】
【課題を解決するための手段】
本発明者は、上記の目的を達成するために鋭意研究を重ねた結果、建造物への重量をなるべく軽減するため、培地として軽い粒状軽石培地を採用し、かつ上述のＡＤＲ法などによって比較的簡単に測定することのできる土壌の体積含水率とｐＦ値との間に、土壌の種類、即ち土性に依存する相関関係があることに着目し、予め測定対象の培地に関する体積含水率とｐＦ値との相関関係を求めた上で、培地の体積含水率を測定することによって、これからｐＦ値を求め、この値によって灌水制御を行うことにより、植物の生育に影響がなく、かつ粒状軽石培地が保持し、かつそれに供給する水量が非常に少なくてすみ、それにより建造物へかかる水の重量を最小限にすることができることを見出し、本発明を完成するに至った。以下で「培養液」というのは水だけの場合も含むものである。
【００１８】
すなわち、本発明は、下記の手段により前記の課題を解決した。
（１）建造物の屋上及び地上に粒状軽石を用いた培地を保持し、前記培地へ培養液を供給する点滴かけ流し式点滴装置と、前記培地の体積含水率を測定する測定装置と、前記測定装置の出力に基づいて粒状軽石のｐＦ値を算出する演算装置と、前記演算装置からの粒状軽石のｐＦ値に基づいて前記点滴装置への送出液量制御手段とを備え、前記培地に植物を植える緑化システムにおいて、前記演算装置に取り込まれている栽培培地についてのｐＦ値と体積含水率との相関関係が、
（イ）測定対象の粗土壌試料を粉砕して微粒子試料を調製し；
（ロ）粗土壌試料に微粒子試料を予め定めた重量比で混合して、混合土壌試料を調製し；
（ハ）混合土壌試料及び微粒子試料について、体積含水率とｐＦ値との相関関係を求め；
（ニ）混合土壌試料及び微粒子試料について得られた体積含水率とｐＦ値との相関値に基づいて、粗土壌試料についての体積含水率とｐＦ値との相関を求める；
ことによって予め求められたものであることを特徴とする緑化システム用自動灌水制御装置。
（２）前記の粒状軽石培地の体積含水率を測定する測定装置が、粒状軽石培地の含水率を電気的に連続検知するセンサとして、ＡＤＲ法、ＴＤＲ法又はＦＤＲ法のセンサを有することを特徴とする前記（１）記載の緑化システム用自動灌水制御装置。
【００１９】
【発明の実施の形態】
本発明では、緑化用培地として粒状軽石を用いるが、その粒径の範囲としては１〜５．６ｍｍのものが好ましい。
また、粒状軽石としては、飽和透水係数が０．３〜０．８ｃｍ／ｓｅｃ、通気係数が乾燥試料及び湿潤試料で１５〜４０ｃｍ／ｓｅｃの性質のものが好ましく、さらにイオン交換容量が３．０〜４．０ｍｅｑ／１００ｇのものが好ましい。
培地として粒状軽石を用いる場合には、培地の保水性がよいため、屋上に積層する場合、通常の土壌に比して薄くても樹木の生育に問題がなく、たとえば樹高が３ｍの松の場合で、厚さが４０ｃｍあればよく、またさつきとかつつじ類では厚さが２０ｃｍあればよいので、後者の場合１ｍ2 当たり９０ｋｇの重量が屋上の屋根に掛かる程度ですむ。
さらに、粒状軽石は透水性がよいので、大雨が降っても、水の大半は排水されて、厚さが２０ｃｍの粒状軽石の場合、１時間後の粒状軽石層は重量が１ｍ2 当たり約１０ｋｇ増加している程度ですむ。
【００２０】
次に、本発明の灌水制御装置で用いる、粒状軽石培地の体積含水率の測定結果から粒状軽石のｐＦ値を求めて、それに基づいて点滴装置の送出水量を制御する手段について詳しく説明する。
本発明に係わる方法は、土壌の体積含水率を測定し、その体積含水率を土壌のｐＦ値に求めるという概念に基づいている。
土壌の保水性は色々の因子で表わすことができ、体積含水率、ｐＦ値などもその一つである。体積含水率を測定する方法としては、土壌サンプルを採取してその水分重量を測定する重量法なども挙げることができるが、現場でその土壌の体積含水率を直接測定するには、サンプルを採取して測定する方法は連続測定ができないなどの点から使用できない。
土壌の体積含水率を圃場の現場で直接測定する手段として、最近特に注目されている測定方法として、電気パルス方式により土壌の誘電率を測定して土壌の体積含水率を求める方法がある。この方法は土壌のある範囲を測定することから、測定値に変動が少なく、測定作業も簡単で優れている。また、測定が非常に早くでき、連続測定が容易で、電気的出力信号と体積含水率との相関性も高いものである。ただし、この電気パルス方式で測定できるのは土壌の体積含水率であり、これによって植物が利用可能な水分量の指標であるｐＦ値を求める手段は開発されていない。
【００２１】
電気パルス方式の代表的な方法にＴＤＲ法があり、その測定原理は、水の比誘電率は８１で、土壌固形物質の比誘電率が約４、空気の比誘電率の１と比べて著しく大きく、土壌のみかけの比誘電率と水分量との間に経験相関が成り立つことを利用して、土壌の体積含水率を測定するものである。具体的測定手段は、土壌内に２又は３針の平行電極を差し込み、それにマイクロ波を与え、その干渉反射波の伝播時間を測定する。電極の長さをＬ、反射波の伝播時間をｔとすると、マイクロ波の伝播速度Ｖは、Ｖ＝２Ｌ／ｔで与えられる。理論的に比誘電率Ｋａはマイクロ波の伝播速度Ｖの２乗に反比例するので、Ｋａ＝（Ｃ／Ｖ）2 によって比誘電率を求めることができる。なお、ここでＣは真空中の光速度であ。
類似する方法として、干渉反射波の周波数領域における特性から土壌の誘電率を求めるＦＤＲ法もある。これらの方法は、土壌の体積含水率を測定することができ、本発明方法において利用することができる方法である。
しかし、これらの方法は、パルスの伝播速度を測定するための高価なオシロスコープなどを必要とする欠点がある。
【００２２】
最近、これらの方法に匹敵する性能を有し、しかもより簡単に測定できる方法としてＡＤＲ法が開発されている。このＡＤＲ法は、簡単なインピーダンス測定により簡単かつ安価に土壌の体積含水率を測定する方法である。したがって、本発明において用いるのにより好ましい方法である。
ＡＤＲ法は、土壌の比誘電率Ｋａは体積含水率（θ）に大きく左右されるという原理を利用してＫａ−θの関係からθを求めるものである点においては、上述のＴＤＲ法及びＦＤＲ法と同様であるが、ＡＤＲ法は、比誘電率Ｋａの測定手段として、高周波の電気パルスが土壌中のプローブを通過して往復する際の伝送線のインピーダンス（Ｚ）を測定してＫａを求める点で異なる。
図２は、ＡＤＲ法に基づく土壌水分センサー１の概要図である。（ａ）はその正面図であり、（ｂ）は平面図である。このセンサープローブは、本体部２に１００ＭＨｚのシヌソイド発振器、同軸伝送線区域及び測定電子回路を内蔵し、センサー部３は４本の平行なステンレス製のロッドからなる。（ｂ）に示すように、センサー部３のロッドは中央の１本が信号ロッド５であり、外側の３本は信号ロッドの周囲に電気的な遮断を形成するシールドロッド６である。このセンサー部は、伝送線の付加的な区域としてふるまい、シールドロッド６に取り囲まれた直径２６．５ｍｍの範囲における土壌の誘電率にほぼ依存するＺをもつ。
【００２３】
発振器の信号は、センサープローブの中を伝送線に沿って伝播し、センサー部３のＺが本体部の同軸伝送線におけるＺと異なる場合には、ある大きさの信号が信号ロッドと伝送線の接続部４から反射されて戻ってくる。この反射されて戻ってくる信号の割合を反射係数ρという。
反射係数は、入射波と反射波が干渉して生じる電圧定在波の原因である入射信号、すなわち送電線の長さに沿った電圧の振幅に干渉される。
そして、伝送線の初期のピーク電圧ｖ0 と接続部でのピーク電圧ｖj が一定の関係にあるように設計されているため、振幅の差は伝送線のインピーダンスと土壌マトリックス中におけるプローブのインピーダンスを関数とする関係式で表される。
【００２４】
この振幅の差を測定することにより、センサー部の相対的なインピーダンスが評価され、次式：
【００２５】
【式１】
0003992939.tif 000002
【００２６】
により誘電率Ｋａが求められる。上式において、ｒ1 とｒ2 は信号電極と遮断電極の半径であり、Ｆは形状因子である。求められた土壌の比誘電率Ｋａから次式：
θ=-5.3 ×10-2+2.92 ×10-2Ka-5.5×10-4Ka2+4.3 ×10-6Ka3 
の経験式によって、体積含水率θ（ｍ3 ・ｍ-3）を求めめることができる。
なお、電圧定在波の振幅は、土壌水分が多くなる（比誘電率が大きくなる）と小さくなる特性をもつ。この場合、その土壌の含水量を別に重量法などにより測定しておき、ＡＤＲ法などで測定を行ってその出力信号値（例えば出力電圧）を求め、前記の土壌の含水量を変化させて測定を繰り返せば、土壌の含水量からの体積含水率と出力電圧との較正された関係線を得ることができ、現場でのＡＤＲ法による測定で土壌の正確な体積含水率を得る手段が得られる。
このようにして、ＡＤＲ法などの誘電率に基づく方法により土壌の体積含水率を求めることができる。ＡＤＲ法におけるセンサーの出力電圧と体積含水率θとの関係を図２に示す。両者に相関関係があることが分かる。
【００２７】
上記したように、誘電率に基づく方法、特にＡＤＲ法によれば、簡単かつ容易に土壌の体積含水率を求めることができ、しかもＡＤＲ法では、ある直径の円筒上部分の土壌の平均誘電率の測定に基づいているので、センサーのプローブが土壌の粒子に密着していなくてもよく、軽石粒子などのような粒子の粗い土壌についても体積含水率を測定できるという利点がある。なお、上記並びに下記においては、ＡＤＲ計によって電圧を出力させてこれに基づいて体積含水率を求める方法を説明しているが、本発明方法においては、ＡＤＲ計による他の出力信号値に基づいて体積含水率を求めてもよいし、或いはＴＤＲ計やＦＤＲ計のような他の形式のセンサーの出力信号値に基づいて体積含水率を求めてもよい。
【００２８】
しかしながら、このような測定で得られる土壌の体積含水率、つまり含水量は、土壌の結合水などの植物に利用できない水の量も含んでいるので、植物に利用し得る水の量と良く対応しているｐＦ値とは異なっている。
本発明においては、このようにしてＡＤＲ法などにより得られる土壌の体積含水率の測定結果を、土壌のｐＦ値に換算することによって、土壌のｐＦ値を求める。
【００２９】
土壌試料のマトリクスポテンシャル（ｐＦ値）と体積水分率とは、その土性に依存して特有の相関関係があり、これを水分保持曲線と呼ぶ。土壌試料の水分保持曲線、即ちマトリクスポテンシャルと体積水分率との相関関係を測定する方法としては、砂柱法、吸引法、加圧板法、加圧膜法などが知られている。これらの方法のうち、砂柱法を除く他の方法はいずれも、所定の圧力を土壌試料にかけて平衡状態に達した際の土の重量を測定することにより、そのマトリクスポテンシャルに対応する体積含水率を求め、これを種々の圧力において行うことにより、その土壌試料についての水分保持曲線を得るというものである。また、砂柱法は、土壌試料に圧力をかける代わりに、砂柱上に載置された土壌試料に所定の位置ポテンシャルを与えることによって、同様の測定を行うものである。
【００３０】
本発明においては、このように、土壌の体積含水率とｐＦ値との間に土性に依存する相関関係が存在することに着目し、測定対象の土壌について予め水分保持曲線（相関線）を求めておき、上記のＡＤＲ法などの方法によって求められた土壌の体積含水率の値から、相関線によりその土壌のｐＦ値を求める。なお、相関線は、表としたときには換算表に基づいてもよいし、可能であれば近似式としてもよい。相関線によって土壌の体積含水率の値から土壌のｐＦ値を求める手段としては、例えば、予め求めた相関線を組み込んだ演算装置にＡＤＲ計の出力信号を入力して土壌のｐＦ値に対応する信号を出力するというプログラムを組み込んだマイコンなどの演算装置を利用する手段を用いることが好ましいい。
【００３１】
以下において、土壌について、体積含水率とｐＦ値との相関を調べて関係線を作り、誘電率に基づいてその土壌の体積含水率を求め、作成された関係線に基づいて、求められた体積含水率から土壌のｐＦ値を求める本発明に係る手法について説明する。
まず、体積含水率とｐＦ値との関係線（水分保持曲線）を作るための基礎データとなる。土壌の種々の体積含水率に対応するｐＦ値を、当該技術において公知の方法により求める。ｐＦ値の測定は正確性が必要であるから、室内で行う測定法を採用する。公知の室内で行うｐＦ値測定法としては、砂柱法、加圧板法、吸引法、加圧膜法、蒸気圧法を挙げることができる。この中で、砂柱法はｐＦ値が０．５〜１．４の範囲、加圧板法はｐＦ値が１．６〜２．７の範囲の測定に適しているといわれている。また、ｐＦ値の測定方法として「遠心法」という方法も提案されているが、この方法はまだ十分に実用化されていない。したがって、ｐＦ＝１．７〜２．７の易効水の範囲内に土壌の含水量を保つという本発明の目的に合致する方法としては、加圧板法が最も適しているということができる。しかしながら、砂柱法などの他の方法も本発明において用いることができる。
【００３２】
例えば、加圧板法により土壌のｐＦ値を測定する場合には、次のように行う。
まず、図４を用いて加圧板法の技術内容について簡単に説明する。加圧板装置１０は加圧チャンバー１２と加圧板１３で構成されており、加圧板１３は素焼板１４の下側にスクリーン１５をはさみ、それをゴム膜１６で覆う構造になっている。加圧チャンバー１２には圧力ゲージ１８が設けられていて、チャンバー内の空気圧が読み取られる。
水で飽和した素焼板１４の上に土壌試料１１を載せ、加圧装置連通管１７から空気圧を加えると、その空気圧と平衡するマトリックスポテンシャルより大きいポテンシャルで保持されている土壌水は素焼板１４を通して排水される。土壌水は金属製排水孔１９から耐圧チューブ２０、排水口２１を通り、ピンチコック２２を有する排水チューブ２３から排水ビン２４に入る。加圧チャンバー１２の減圧のために排気バルブ２５を設ける。空気圧を段階的に変えることにより、各マトリックスポテンシャルに対応した水分保持量を測定できる。サンプルの土壌は、その空気圧の大きさ毎に、加圧板ごと取り出して計量する。この測定された土壌試料の重量と乾燥状態の土壌試料の重量との差を算出することによって、含水量が求められる。ここで求められた含水量は、そのときの空気圧に対応するもの、すなわちその時の水分ポテンシャルに対応するものであるから、あるｐＦ値に対応する含水量が求められる。また、土壌の嵩比重に基づいて、体積含水率も求められることになる。
この操作を、空気圧を段階的に変えて繰り返して行うことにより、種々のｐＦ値とそれに対応する体積含水率との対比表が作成される。表の値を、横軸がｐＦ値、縦軸が体積含水率のグラフにプロットすると、水分保持曲線が得られる。
【００３３】
また、同様に土壌のｐＦ値を測定する方法である砂柱法の原理を図５を参照して説明する。
図５は、砂柱法装置５１の概要を示す図である。通常、２５０μｍ以下のふるいを通過した細砂や３００〜１８０μｍに粒径を調整した石英砂が用いられる。事前に水洗いした砂５２をカラムに充填し、コック６０を開放して給水口５９から水道水５８を流入させて、砂を水で飽和させる。なお、カラムの底部には支持台６１及びブラススクリーン６２が配置されて、砂柱を保持するようになっている。そして、周囲をたたくなどして振動を与え、粒子配列を安定させる。砂柱上面からの蒸発を防ぐために、ポリエチレンシート又は蓋５３をかぶせておく。彩土円筒５４にも蓋をつけておくと更に効果的である。土壌試料（彩土円筒）５４を砂柱５２の上に載置し、可動式の排水口５５の高さを砂柱上端に固定して、土壌試料５４へ水を飽和させる。次に、可動排水口５５を所定の位置まで下げ、コック５６を開放して余剰水５７を排水することによって、砂柱中の自由水面の水位を下げ、これにより土壌試料からの脱水を行わせる。水位Ｌは水位計６３によって読取る。脱水が完了したらその時の土壌試料の質量を測定して、体積含水率を求める。この時点での、土壌試料のマトリクスポテンシャル（ｃｍ）は、土壌試料の厚さを１とすると、−（Ｌ＋１／２）で示される。これにより、所定のｐＦ値における土壌試料の体積含水率が求められる。
【００３４】
この操作を、水位Ｌを段階的に変えて繰り返して行うことにより、種々のｐＦ値とそれに対応する体積含水率との対比表が作成される。表の値を、横軸がｐＦ値、縦軸が体積含水率のグラフにプロットすると、水分保持曲線が得られる。
【００３５】
一方、同じ土壌について、体積含水率の分かったサンプルに関して例えばＡＤＲ計でその出力信号値、例えば出力電圧を測定して、出力電圧と土壌の体積含水率との較正された換算表を作成する。この結果を、横軸が出力電圧、縦軸が体積含水率のグラフにプロットすると、図３のような関係線が得られる。
【００３６】
このように予め関係線を作成しておき、一般圃場の現場で例えばＡＤＲ計を用いて土壌の含水量を測定すると、第１の工程として、ＡＤＲ計の出力電圧から、予め作成された出力電圧と体積含水率との関係線に基づいて土壌の体積含水率が求められ、次に第２の工程として、求められた土壌の体積含水率から、予め作成された水分保持曲線（体積含水率とｐＦ値との関係線）に基づいて土壌のｐＦ値を求めることができる。
前記した２つの関係線を演算装置へ入れておけば、電子回路を用いてＡＤＲ計の出力電圧の信号からその土壌のｐＦ値を演算してその数値をディスプレイに表示することができ、測定作業が極めて簡便となる。
あるいはさらに、その演算で得た土壌のｐＦ値の信号を灌水装置の制御回路に送り、灌水装置の給水装置を作動させるようにすることもできる。
【００３７】
本発明の方法によれば、従来用いられていたテンシオメータ法に比べて、遙かに簡便に土壌のｐＦ値を直接且つ連続的に測定することができ、この測定結果を利用して灌水制御を行うことができる。また、テンシオメータ法では、軽石等のような多孔質表面を持つ粗い粒子からなる培地についてはｐＦ値の測定を行うことができなかったが、本発明方法によれば、ＡＤＲ法などのような多孔質培地にも適用可能な方法によって体積含水率の測定を行うことにより、ｐＦ値を求めることができる。
【００３８】
なお、本発明においてｐＦ値と体積含水率との相関（水分保持曲線）を測定する方法として使用される加圧板法や砂柱法などによっては、特殊な土壌や培地、特に多孔質表面を有する粒子からなる土壌（培地）を測定することができない。これは、例えば培地として粒径が１〜５．６ｍｍの軽石を使用した場合、加圧板法では、粒子間に圧力をかけても含有水が連続していないために正確なｐＦ値を測定することができないからである。即ち、軽石粒子培地などでは含有水が連続して存在していないために、毛管現象の毛管水がつながらないので正しいｐＦ値を測定することができない。また、砂柱法では、軽石培地の場合、水の液絡がないので、正確なｐＦ値を測定することができない。そこで、本発明方法によって、多孔質表面を有する粒子からなる土壌についてｐＦ値の測定を行う場合には、更なる工夫が必要となる。以下、この点について詳しく説明する。
【００３９】
本発明者らは、加圧板法や砂柱法によって、軽石培地のｐＦ値を測定することができないかどうかを検討したところ、粗い培地粒子のみの試料ではｐＦ値の正確な測定はできないが、粗い培地粒子に細かい培地粒子を混合したものについてはそのｐＦ値を測定できることが分かった。そして、粗い培地粒子の土壌試料と、当該培地試料を粉砕して作成した培地微粒子試料とを用意し、更に、粗い培地粒子の土壌試料と培地微粒子試料とを混合して分散させた混合土壌試料を用意し、この培地微粒子試料と混合土壌試料とについてｐＦ値の測定を行い、得られた結果を以下に説明する「減算処理」にかけることにより、粗い培地粒子の土壌試料のｐＦ値を求めることができることを見出した。以下において、この方法に関して詳細に説明する。
【００４０】
まず、粗い培地、例えば粒径１〜５．６ｍｍの軽石粗粒子からなる培地を用意する。次に、この粗粒子培地を粉砕して微粒子とした培地微粒子を調製する。また、上記の軽石粗粒子と培地微粒子とを混合して分散させた混合土壌試料を調製する。この場合、軽石粗粒子と培地微粒子とは、等重量ずつ混合することが好ましいが、必ずしも等重量である必要はない。但し、その場合には混合重量比を確認する。
【００４１】
このようにして得られた培地微粒子試料と混合土壌試料について、加圧板法などの方法によってｐＦ値と体積含水率との関係、即ち水分保持曲線を求める。この方法について以下に説明する。以下の説明においては、便宜上、軽石粗粒子培地試料を試料Ｂ、軽石粗粒子から調製した培地微粒子試料を試料Ａ、試料Ａと試料Ｂとを混合して得られた混合土壌試料を試料Ｃと呼び、加圧板法によるｐＦ値測定を例として挙げる。
【００４２】
培地微粉末からなる試料Ａは加圧板法によりｐＦ値を測定することができるが、軽石粗粒子試料Ｂは加圧法によりｐＦ値を測定することができない。しかしながら、混合土壌試料ＣについてはｐＦ値を測定することができる。これは、粗い粒子の間隙に細かい微粒子が入り込むことにより、ブロースルーが起きないためであると考えられる。したがって、混合土壌試料の調製に用いる培地微粒子試料の粒径は、微粒子が粗粒子の間隙に入り込むようなものであることが望ましい。更には、微粒子が多孔質粗粒子の孔に入り込まない程度の大きさである必要がある。これは、微粒子が多孔質粗粒子の孔に入り込んでしまうと、挙動が変化してしまい、正確なｐＦ値を計測することができなくなってしまうからである。一般に微粒子試料の粒径は、５０〜２００μｍ程度であることが好ましいが、この数値に限定されるものではない。
【００４３】
上述のように、粗粒子試料ＢについてはｐＦ値の測定を行うことができないが、微粒子試料Ａ及び混合土壌試料ＣについてはｐＦ値の測定を行うことができる。そこで、混合土壌試料Ｃについての測定結果と微粒子試料Ａについての測定結果から、試料Ｂについての測定結果を以下に説明する「減算処理」によって求める。
混合土壌試料Ｃ及び微粒子試料Ａについて、加圧板法により、ｐＦ値と体積含水率との関係、即ち水分保持曲線を測定する。これらの測定は、各試料の含水状態を変えて幾通りにも測定する。
【００４４】
あるｐＦ値における混合土壌試料Ｃの体積含水率をｘc （ｖ／ｖ％）、所定容量の混合土壌試料の含水量をｃ（ｇ）とすると、その混合土壌試料のうち微粒子が保持する水の量［ｃa （ｇ）］は、同じ容量の培地微粒子試料ＡがそのｐＦ値において有する含水量［ａ（ｇ）］に、混合土壌試料中の培地微粒子の重量割合を乗じた値となる。即ち、上記所定容量の混合土壌試料中の培地微粒子の重量をｚca（ｇ）、同容量の培地微粒子試料の重量をｚa （ｇ）とすると、ｃa ＝ａ×（ｚca／ｚa ）となる。次に、混合土壌試料Ｃの含水量［ｃ（ｇ）］から混合土壌試料中の培地微粒子が保持する水の量［ｃa （ｇ）］を減じれば、混合土壌試料Ｃ中の粗粒子が保持する水の量［ｃb （ｇ）］が求められる。即ち、ｃb ＝ｃ−ｃa となる。そして、この水の量を、混合試料における粗い培地の割合で割ると、粗粒子培地試料Ｂの含水量を算出することができる。即ち、同容量の粗粒子培地試料Ｂの重量をｚb （ｇ）、粗粒子培地試料Ｂの含水量をｂ（ｇ）とすると、ｂ＝ｃ×（ｚb ／ｚcb）となる。これにより得られた粗粒子培地試料の含水量ｂ（ｇ）から、粗粒子培地試料ｂの体積含水率（ｖ／ｖ％）を求めることができる。
【００４５】
上述の測定においては試料はすべて重量で測定されている。なお、混合試料中の粗い培地粒子がその周囲を培地微粒子により囲まれることによって粗い培地粒子の表面での水分ポテンシャルが減少する。しかしながら、粗い培地粒子が多孔質であるため、培地微粒子によって囲まれる表面積が粗い培地粒子が全体として有する表面積に比して僅かなものであるため（１／１００以下）、無視することができる程度のものである。
このようにして求められた粗粒子培地試料の体積含水率は、そのｐＦ値に対応していると考えることができる。そして、このような測定／計算を、種々の圧力において繰り返せば、粗粒子培地の体積含水率とｐＦ値との相関関係（水分保持曲線）を作成することができる。
【００４６】
また、同様に、砂柱法についても、粗粒子試料については水の液絡が遮断されるために正確なｐＦ値の測定ができないが、粗粒子を粉砕して得られる微粒子試料及び粗粒子試料にこの微粒子試料を混合して得られる混合土壌試料については、正確なｐＦ値の測定を行うことができることが分かった。これは、粗粒子の間隙に微粒子が入り込んで水の液絡が形成されるためであると考えられる。したがって、砂柱法によっても、上述のような手順をとることによって、軽石などのような粗い粒子の土壌についても、ｐＨ値と体積含水率との関係、即ち水分保持曲線を求めることができる。
このようにして求められた水分保持曲線と、上述の方法で得られたＡＤＲ計の出力電圧値と体積含水率と較正された相関関係とを用いて、ＡＤＲ計で土壌の測定を行うことにより、その体積含水率を経てｐＦ値を求めることができる。
【００４７】
即ち、本発明によって土壌のｐＦ値の測定する方法は、以下のような構成をとる。
（１）測定対象の粗粒子土壌の粉砕して微粒子試料を成形し、また、粗粒子土壌試料と微粒子試料と混合した混合土壌試料を形成し、同容量の粗粒子土壌試料、微粒子試料及び混合土壌試料を用意して、その重量を計測する。次に、微粒子試料及び混合土壌試料について、加圧板法や砂柱法などの方法によって、ｐＦ値と体積含水率との関係である水分保持曲線を求める。次に得られた結果から、上述した「減算処理」によって粗粒子土壌についての水分保持曲線を求める；
（２）土壌について、ＡＤＲ法などのような電気パルス式土壌誘電率測定法によって、土壌における出力信号値（ＡＤＲ法の場合には出力電圧）を計測して、出力電圧と体積含水率との関係から、土壌の体積含水率を求める。なお、測定対象の土壌に関する出力信号値と体積含水率との関係（較正値）は、予め求めておく；
（３）上記（２）工程で求められた体積含水率から、上記（１）工程で作成された水分保持曲線に基づいて、土壌のｐＦ値を求める；
という手順によって土壌のｐＦ値を測定する。
【００４８】
本発明にしたがって、上記に説明したように土壌の水分量を測定する方法によってｐＦ値を求め、得られたｐＦ値によって灌水を制御することによって、最適条件下で作物の栽培を行うことができる。即ち、上記のように土壌のｐＦ値を一定時間毎に測定し、測定されたｐＦ値と目標とするｐＦ値とを比較して、作物の栽培に最適の条件であるｐＦ１．７〜２．７の域を出ないように灌水又は培養液の供給量を制御することができる。これは、例えば、目標ｐＦを、２．０と設定し、これより高いｐＦ値が測定されたら灌水又は培養液の供給を行い、これより低いｐＦ値が測定されたら灌水又は培養液の供給を停止するという方法によって行うことができる。
【００４９】
本発明は、かかるｐＦ値の測定に基づいて灌水制御を行うための装置を建造物の屋上や地上部分の緑化システムに適用した灌水制御装置を提供する。
即ち、本発明は、培地として粒状軽石を用いた緑化システムの自動灌水制御装置であって、点滴式培養液かけ流し装置と；培養液流路弁を有する点滴装置の送出水量制御手段と；培地の体積含水率を測定する体積含水率測定器と；栽培培地について予め求められたｐＦ値と体積含水率との相関関係が取り込まれており、体積含水率測定器によって測定された培地の体積含水率からｐＦ値への換算を演算処理して、体積含水率測定器の出力結果に基づいて培地のｐＦ値の信号を出力する演算装置と；該演算装置から出力されたｐＦ値信号に基づいて点滴装置への送出水量を抑制する点滴装置制御手段；とを有することを特徴とする自動灌水制御装置を提供する。
【００５０】
更に、本発明の他の好ましい自動灌水制御装置であって、点滴式培養液かけ流し装置と；培養液流路弁を有する点滴装置の送出水量制御手段と；培地の含水率を電気的に検知するセンサとしてのＡＤＲ法、ＴＤＲ法又はＦＤＲ法センサと；栽培培地について予め求められたｐＦ値と体積含水率との相関及び前記センサの検知出力信号と体積含水率との相関関係が取り込まれており、前記センサの検知出力信号から培知の体積含水率への換算及び培地の体積含水率からｐＦ値への換算を演算処理して、前記センサ計の検知出力信号に基づいて培地のｐＦ値の信号を出力する演算装置と；該演算装置から出力されたｐＦ値信号に基づいて点滴装置への送出水量を制御する点滴装置制御手段；とを有することを特徴とする緑化システム用自動灌水制御装置を提供する。
【００５１】
即ち、上記のような灌水制御を行う方法を実施するための装置として、例えば、点滴式培養液かけ流し装置と、培地に挿入されるプローブを有するＡＤＲ計と、該ＡＤＲ計の出力電圧に追従して点滴装置への送出水量を制御する手段とを有するように構成して、固形培地耕式養液栽培装置を構成して、ＡＤＲ計の出力電圧についての追従をタイマーにより一定時間間隔毎に行うようにした固形培地耕式自動灌水制御養液栽培装置を構成することができる。なお、ＡＤＲ計の出力電圧に追従して点滴装置への送出水量を制御することは、好ましくは、対象の栽培培地について予め求められたｐＦ値と体積含水率との相関及びＡＤＲ計出力電圧と体積含水率との相関関係を演算装置に予め取り込んでおき、ＡＤＲ計の出力電圧から培地の体積含水率への換算及び培地の体積含水率からｐＦ値への換算を演算装置によって演算処理して、ＡＤＲ計の出力電圧に基づいて培地のｐＦ値の信号が出力されるように構成し、この出力ｐＦ値信号に基づいて点滴装置への送出量を制御する点滴装置制御手段を設けることによって行うことができる。ｐＦ値の測定値に基づいて培養液流路弁の開閉度を調整する周期については、どの程度の厳密さで制御が求められているかどうかに依存し、これは栽培する作物の種類などによっても異なるが、一般に、１０分〜２時間、好ましくは１０分〜３０分毎に、ｐＦ値の測定に基づいて灌水又は培養液供給の制御を行うことが好ましい。
【００５２】
なお、上記の測定では体積含水率を求める方法としてＡＤＲ法を使用したが、誘電率に基づいて体積含水率を測定できる計器であればＴＤＲ計、ＦＤＲ計などのその他の測定計器を用いることができることは上述した通りである。また、土壌の体積含水率を測定する方法は、誘電率に基づく計測方法でなくとも、土壌の体積含水率を圃場で直接測定することのできる方法であれば、本発明において用いることができる。
本発明装置によってｐＦ値を測定できる培地は、屋上緑化システムを主対象とするために、土壌の流亡防止が最重要視され、必然的に粗大な粒子の軽石が挙げられ、中でも軽石としてはシラス軽石培地について精度よく測定することができる。
なおここで「シラス軽石」については、例えば、上記の「土の環境圏」、３０〜３２頁にその定義と共に説明がなされている。これによれば、「シラス」とは、「後期更新世の大規模なカルデラ火山から噴出した火砕軽石流堆積物の非溶結部またはその２次堆積物」の総称であり、我が国においては、南九州のものがよく知られている。また、これ以外にも、屈斜路湖、十勝岳、支笏湖、洞爺湖、十和田湖、阿蘇山などのカルデラ火山周辺に同様のシラスが分布するが、国土庁の土地分類基本調査等の表層地質図では軽石流堆積物として図示されている。
【００５３】
本発明に係る自動灌水制御装置によって自動灌水制御養液栽培を行うことのできる植物としては、建造物の屋上や地上部分であることを考慮すると、各種園芸用の樹木が適するが、栽培をする作物や草花類でもよい。栽培できる作物の例としては、果菜類、例えば、トマト、ミニトマト、キュウリ、ナス、ピーマン、パプリカ、ジャンボシシトウ、オクラ、インゲン、エンドウ、ニガウリ、ヘチマ、スイカ、メロンなど；葉菜類、例えば、サラダナ、ホウレンソウ、コマツナ、ミョウガ、モロヘイア、エンサイ、チンゲンサイ、リーフレタス、コリアンダー、アロエ、ミツバ、ミニセロリ、パセリ、シュンギク、ラディシュなど；果実類、例えば、パインアップル、パッションフルーツ、パパイア、イチゴなど；花卉類、例えばカーネーション、キク、バラ、サボテン、テッポーユリ、トルコキキョウ、クルクス、ラン、パンジーなど；を挙げることができる。
【００５４】
【実施例】
以下実施例により本発明を具体的に説明する。ただし本発明はこの実施例のみに限定されるものではない。
実施例１（ＡＤＲ法による体積含水率の測定）
粒径が１〜５．６ｍｍの範囲にある鹿児島県産出のシラス軽石培地を用いて、その含水状態を変化させてＡＤＲ法により測定を行ってその出力電圧を計り、出力電圧と軽石培地の体積含水率との関係を調べた。その関係を、横軸がＡＤＲ計の出力電圧、縦軸が体積含水率のグラフにプロットすると、図３に示すグラフが得られた。
【００５５】
実施例２（体積含水率からｐＦ値の算出）
１．試料の調製
粒径が１〜５．６ｍｍの範囲にある鹿児島県産出のシラス軽石試料と、前記軽石を粉砕して粒径が凡そ５０〜２００μｍの範囲にある軽石微粒子試料とをそれぞれ用意した。軽石試料と軽石微粒子試料とを１００ミリリットルずつ秤量した。その重量は軽石試料が５３ｇであり、軽石微粒子試料が７９．４ｇであった。次に、軽石試料と軽石微粒子試料とをほぼ等重量ずつ混合することによって、混合土壌試料を調製した。混合土壌試料１００ミリリットルの重量は７２．５ｇであり、その内訳は、軽石試料が３５．２ｇ、軽石微粒子試料が３７．３ｇであった。
【００５６】
２．混合土壌試料等のｐＦ値及び体積含水率の測定
混合土壌試料について、加圧板法により種々のｐＦ値に対応する体積含水率を測定した。また、軽石微粒子試料についても、同様に加圧板法により種々のｐＦ値に対応する体積含水率を測定した。これらの測定は、各試料の含水状態を変えて幾通りにも測定した。なお、ｐＦ値の測定に加圧板法を使用したのは、加圧板法で測定できるｐＦ値の範囲が実際の好適な栽培条件のｐＦ値範囲に良く入るためである。
３．混合結果によると、第１表に示すように、混合試料Ｍの体積含水率が４４．８（ｖ／ｖ％）のとき、ｐＦ値は１．６であった。また、このｐＦ値において、軽石微粒子試料Ｐの体積含水率は５３．３（ｖ／ｖ％）であった。
この混合試料Ｍの含水量（ｇ）から、混合試料の軽石微粒子分の含水量を減ずることにより、混合試料中の軽石分の含水量を求め、それから軽石試料の体積含水率を算出する。
【００５７】
１００ミリリットルの混合試料Ｍの含水量〔Ａ３〕は、その体積含水率〔Ａ２〕から４４．８ｇであることが分かる。このうち、混合試料１００ミリリットル中の軽石微粒子成分（３７．３ｇ）が保持する含水量〔Ａ４〕は、［５３．３×（３７．３／７９．４）］＝２５．１ｇと計算される。
そうすると、混合試料Ｍ中の軽石成分が保持する含水量〔Ａ５〕は、（〔Ａ３〕−〔Ａ４〕）＝（４４．８−２５．１）＝１９．７ｇとなる。
これは、３５．２ｇの軽石試料が保持する含水量であるから、これを容積１００ミリリットルを軽石全部で満たした場合（軽石重量は５３ｇである）に換算すると、［１９．７×（５３／３５．２）］＝２９．７ｇとなる。
この含水量は、容積１００ミリリットルの軽石試料に含まれるものであるから、その軽石試料の体積含水率は２９．７（ｖ／ｖ％）ということになる。したがって、この軽石試料は、ｐＦ１．６において２９．７（ｖ／ｖ％）の体積含水率を有すると考えることができる。
【００５８】
同様の作業を幾つかのｐＦ値について行い、ｐＦ値と体積灌水率との相関関係を求めた。得られた結果を第１表に示す。第１表には、上記の試料について、ｐＦ１１．６；１．８；２；２．２；２．５及び２．７における結果を示すものであるが、軽石微粒子試料及び土壌試料について、それぞれｐＦ０．４〜２．８の範囲について測定して得られた結果をグラフとして示した図６（ａ）及び（ｂ）であり、この結果から算出された軽石試料の水分保持曲線のグラフを図６（ｃ）として示す。
図６（ｃ）のグラフで示される軽石試料のｐＦ値と体積含水率との関係をみると、本実施例の場合には、ｐＦ値１．６〜２．０の間ではグラフが平らなため十分には使えないが、ｐＦ値２．０〜２．７の間ではｐＦ値と体積含水率との間に一定の相関関係が認められ、これを基にして培地の灌水制御に使用することができる。
実施例２で得られた水分保持曲線を用いて、実施例１で得られたＡＤＲ法による体積含水率の値を換算することによって、その培地のｐＦ値を容易に算出することができる。
【００５９】
【表１】
0003992939.tif 000003
【００６０】
実施例３（ＡＤＲ法による灌水制御）
粒径が１〜５．６ｍｍの範囲にある鹿児島県産出のシラス軽石培地を用いて、サラダナの栽培を行った。培養液としては園芸試験所標準処方の培養液（「園試処方」と略称されているもので、成分濃度Ｎ：１６ｍｅｑ／リットル（以下同じ）、Ｐ：４、Ｋ：８、Ｃａ：８、Ｍｇ：４）を用いた。まず、セルトレーにそれぞれサラダナの種子を１粒播種して育苗した。育苗２１日後に葉菜用栽培ベッドに、栽培密度４２株／ｍ2 で定植した。栽培面積は４ｍ2 であった。灌水は、育苗、定植栽培共に、図１に示すような自動制御によって行った。即ち、ＡＤＲセンサ３６で培地の誘電率を測定し、上記実施例１及び２で得られた相関関係をインプットした演算・制御装置３８によって誘電率定値から換算されたｐＦ値に基づき信号３７、３９を送り、灌水の制御を行った。具体的には、設定ｐＦ値を２．０に定め、測定されたｐＦ値がこの値を上回ったら、演算・制御装置３８によって電源盤４８を操作してポンプ３３及び電磁弁３４を作動させ、培養液タンク３２から培養液を点滴チューブ３５に供給して栽培ベッド３１に滴下させて灌水を行い、ｐＦ値が２．０になったら灌水を停止するという自動灌水制御を行った。定植３５日後に収穫とたところ、収穫量は３２０３ｇ／ｍ2 であった。また、定植から収穫までの培養液の使用量は８４．６リットル／ｍ2 であった。
【００６１】
比較例１（タイマーによる灌水制御）
実施例３と同様の方法で、実施例３の試験と並行してサラダナの栽培を行った。但し、灌水はタイマーにより午前９時及び午後３時の２回行い、それぞれ、栽培ベッドから余剰の培養液が排出されるまで灌水を継続した。収穫は２６９４ｇ／ｍ2 、定植から収穫までの培養液の使用量は１４８．６リットル／ｍ2 であった。また、収穫時近くには栽培ベッドの表面に苔様のものが発生していたことがみとめられた。これは、実際の生育に必要な量よりも多い量の培養液が供給されていたことを示すものである。
実施例３と比較例１とを比較すると、本発明に係る灌水制御方法を用いた栽培方法によれば、従来のタイマーによる灌水制御方法と比較して、より少ない培養液量でより高い収穫量を得ることができた。即ち、本発明方法によれば、作物が実際に必要としている量の培養液を正確に制御して供給することが可能になるので、排液等となる余分な供給を防ぐことができる。
【００６２】
実施例４
高さ２０ｍのビルの屋上に縦１００００ｍｍ、横５０００ｍｍ、高さ４００ｍｍ、中の広さが４５ｍ2 の四角い枠を設け、その底に防水シートを敷き、この中に粒径が１〜５．６の粒状軽石（シラス）を厚さ２００ｍｍに入れ、直径が約７００ｍｍ、高さ約７００ｍｍのさつきを５０株、縦方向に５列（１０株）になるように植えた。中に入れた粒状軽石の重量は搬入時４０５０ｋｇであった。それに、給水管から培養液を送る点滴掛け流し方式の点滴装置を設置した。ＡＤＲ法で粒状軽石の含水率を測定して、そのｐＦ値を算出して、それに基づいて灌水を行う自動灌水制御装置を設置して前記点滴装置に接続し、前記点滴装置から自動的に灌水を行った。
【００６３】
【発明の効果】
本発明によれば、屋上及び地上緑化用緑化システムにおいて、培地として粒状軽石を用い、かつ粒状軽石のｐＦ値に基づいて、自動灌水制御を行う緑化システム用自動灌水制御装置を使用することにより、建造物に対して重量の負担が小さくてすみ、かつ灌水において水（培養液）の量だけでなく、ｐＦ値という水（培養液）の質までコントロールすることができる。ｐＦ値は連続的電気的に計測できるので、逐次ｐＦ値を読みに行ってきめ細かく灌水することができる。このことにより、肥料及び水の使用量を半減させることができる。しかも、水（培養液）の廃液も出ないシステムになる。このため、屋上の屋根のような培地を支持する支持部の痛みも少なく、建造物の寿命を縮めるようなことがない。
【００６４】
屋上及び地上緑化用培地は、温室の培地と違い、夏暑く、冬は地上より更に低温となり、過酷な環境下におかれるが、各条件に適するように培地の体積含水率を設定して、植物の生育に支障がないようにすることができる。大量に雨が降った場合でも、培地の透水性がよいため、培地に過剰の水が満ち溢れることがなく、屋根に大きな重量が急に掛かることがない。しかもこのような雨が降った場合は、土壌に含まれている肥料成分が流れ出して、環境を汚染することがあるが、この粒状軽石培地はもともとＣＥＣが低いので、流れ出す肥料成分が少ない。このように、ＡＤＲ法等のセンサでのｐＦ値に基づく自動灌水制御装置は、あらゆる環境条件下で、素早く追従して灌水を行うので、極めて優れた効果を奏する。
【図面の簡単な説明】
【図１】本発明の実施例において用いた灌水自動制御栽培装置の概略を示す図である。
【図２】ＡＤＲ法による測定計の概要説明図である。（ａ）は正面図、（ｂ）は平面図である。
【図３】実施例１において行ったＡＤＲ法によるシラス軽石土壌の測定におけるセンサーの出力電圧と体積含水率θとの関係を表すグラフである。
【図４】ｐＦ値と体積含水率との相関関係（水分保持曲線）の測定に使用される加圧板法の概要説明図である。
【図５】水分保持曲線の測定に使用される砂柱法の概要説明図である。
【図６】培地の体積含水率とｐＦ値との関係を表わすグラフであり、（ａ）は粉末試験試料についてのグラフ、（ｂ）は混合試料についてのグラフ、（ｃ）は軽石試料についてのグラフである。
【符号の説明】
１  土壌水分センサー
２  本体部
３  センサー部
４  接続部
５  信号ロッド
６  シールドロッド
１０  加圧板装置
１１  土壌試料
１２  チャンバー
１３  加圧板
１４  素焼板
１５  スクリーン
１６  ゴム膜
１７  加圧装置連通管
１８  圧力ゲージ
１９  金属排水孔
２０  耐圧チューブ
２１  排水口
２２  ピンチコック
２３  排水チューブ
２４  排水ビン
３１  栽培ベッド
３２  培養液タンク
３３  ポンプ
３４  電磁弁
３５  点滴チューブ
３６  ＡＤＲセンサ
３７、３９  信号
３８  演算・制御装置
４０  電源盤
５１  砂柱法装置
５２  水洗いした砂
５３  ポリエチレンシート又は蓋
５４  採土円筒
５５  排水口
５６  コック
５７  余剰水
５８  水道水
５９  給水口
６０  コック
６１  支持台
６２  ブラススクリーン
【図１】
0003992939.tif 000004
【図２】
0003992939.tif 000005
【図３】
0003992939.tif 000006
【図４】
0003992939.tif 000007
【図５】
0003992939.tif 000008
【図６】
0003992939.tif 000009